(57)【特許請求の範囲】
【請求項１】
雄コネクタと、この雄コネクタに回動自在に組み付けられるレバーと、前記雄コネクタが挿入される嵌合フード部を有し前記レバーを回動させることにより前記雄コネクタが前記嵌合フード部内に挿入・嵌合される雌コネクタ部とからなり、前記レバーに設けたロックアームが前記嵌合フード部に設けたロック部と係合することで前記雄コネクタが前記雌コネクタ部の嵌合フード部内に完全に嵌合されるレバー嵌合式コネクタであって、前記ロックアームを可撓性のアーム部と、この可撓性のアーム部に設けられたロックアーム側の係止突起とで形成し、前記ロック部を前記嵌合フード部の内壁に設けた薄肉板部と、この薄肉板部から少なくとも一部が突設されて前記ロックアーム側の係止突起と係合する嵌合フード部側の係止突起とで形成し、前記薄肉板部は内側に前記嵌合フード部側の係止突起の略上半分が突設され、前記嵌合フード部側の係止突起の下半分は前記嵌合フード部の内壁から突設されていることを特徴とするレバー嵌合式コネクタ。
【請求項２】
請求項１記載のレバー嵌合式コネクタであって、前記薄肉板部が、前記嵌合フード部の開口縁部に設けた凹部の底壁から突設した片持梁状に形成されていることを特徴とするレバー嵌合式コネクタ。
【請求項３】
請求項１又は請求項２に記載のレバー嵌合式コネクタであって、前記嵌合フード部側の係止突起が上端側から前記嵌合フード部の奥方に向けて下り傾斜の導入斜面と、下端側から嵌合フード部の内壁に向けて上り傾斜の係合斜面とからなり、前記ロックアーム側の係止突起が前記アーム部から外方へ向けて上り傾斜に形成されて前記嵌合フード部側の係止突起の係合斜面と係合する係合斜面を有することを特徴とするレバー嵌合式コネクタ。
【発明の詳細な説明】
【０００１】
【発明の属する技術分野】
本発明は、雄コネクタに組み付けたレバーを回動させることにより雌コネクタ部の嵌合フード部内に挿入・嵌合させるレバー嵌合式コネクタに関する。
【０００２】
【従来の技術】
図４は、レバー嵌合式コネクタの雄コネクタ１及びこの雄コネクタ１に回動自在に組み付けられたレバー２を示す。この雄コネクタ１は、レバー２の回動により、雌コネクタ部（図５参照）３の嵌合フード部４内に挿入・嵌合される。
【０００３】
雄コネクタ１は、上下方向に貫通し内部に端子を収容する複数個の端子収容室が設けられると共に、雄コネクタ１の両側面５の一端部には、雄コネクタ１の嵌合方向に延びるガタ防止リブ６、６が側方に突設されている。又、雄コネクタ１の両側面５にはボス部７が突設しており、このボス部７にレバー２が回動自在に支持される。
【０００４】
レバー２は左右一対の側壁８、８と、左右の側壁８、８を後端側で連結する操作部９とを備えている。左右の側壁８、８には、雄コネクタ１のボス部７が挿入され、この挿入によってレバー２がボス部７を中心に回動する。又、操作部９と反対側である側壁８、８の先端には、雄コネクタ１のガタ防止リブ６を貫通する突起部１０、１０が一体的に形成されている。この突起部１０、１０は、後述する嵌合フード部を貫通した長孔内に挿入されてレバー２の回動支点となる。また、レバー２の左右の側壁８、８間であって、操作部９側には、ロックアーム１１が設けられている。このロックアーム１１は、可撓性のアーム部１２と、このアーム部１２に設けられたロックアーム１１側の係止突起１３とで形成されている。
【０００５】
雌コネクタ部３は雄コネクタ１が挿入される上面開放の嵌合フード部４を有している。この嵌合フード部４の上端側の内壁には、レバー２のロックアーム１１が係合するロック部１４が形成されている。ロック部１４は、嵌合フード部４の内壁から内方へ向けて突設された嵌合フード部４側の係止突起１５からなる。また、嵌合フード部４には、上記雄コネクタ１のガタ防止リブ６が挿入される長溝（不図示）が形成され、側面には、レバー２の突起部１０が係合する長孔（不図示）が形成されている。
【０００６】
このようなレバー嵌合式コネクタは、雄コネクタ１のボス部７をレバー２の側壁８に挿入すると共に、突起部１０を雄コネクタ１のガタ防止リブ６に貫通させることにより、図４に示すように組み付ける。そして、レバー２が組み付けられた雄コネクタ１を嵌合フード部４内に挿入し、レバー２の突起部１０を嵌合フード部４の長孔に係合させた後、操作部９を押圧してレバー２を図５の矢印１６の方向へ回動させる。このレバー２の回動によるてこの原理で雄コネクタ１が嵌合フード部４内に挿入・嵌合される。
【０００７】
雄コネクタ１が嵌合フード部４に挿入・嵌合されると、ロックアーム１１側の係止突起１３が嵌合フード部４側の係止突起１５に係合する。これにより、レバー２の不用意な回動が阻止され、雌コネクタ部３への雄コネクタ１の嵌合状態が保持される。
【０００８】
【発明が解決しようとする課題】
しかしながら、ロックアーム１１側の係止突起１３と嵌合フード部４側の係止突起１５とが係合する場合、図６に示すように、レバー２がボス部７を中心に回動するため、係止突起１３、１５同士は線接触に近い状態で係合する。このため、係止突起１３、１５同士が係合したときの操作音（ロック音）が小さく、節度感に欠けるという問題を有している。
【０００９】
そこで、本発明は、レバーのロック時の操作音を大きくして節度感を向上することができるレバー嵌合式コネクタの提供を目的とする。
【００１０】
【課題を解決するための手段】
上記目的を達成するため、請求項１の発明は、雄コネクタと、この雄コネクタに回動自在に組み付けられるレバーと、前記雄コネクタが挿入される嵌合フード部を有し前記レバーを回動させることにより前記雄コネクタが前記嵌合フード部内に挿入・嵌合される雌コネクタ部とからなり、前記レバーに設けたロックアームが前記嵌合フード部に設けたロック部と係合することで前記雄コネクタが前記雌コネクタ部の嵌合フード部内に完全に嵌合されるレバー嵌合式コネクタであって、前記ロックアームを可撓性のアーム部と、この可撓性のアーム部に設けられたロックアーム側の係止突起とで形成し、前記ロック部を前記嵌合フード部の内壁に設けた薄肉板部と、この薄肉板部から少なくとも一部が突設されて前記ロックアーム側の係止突起と係合するフード部側の係止突起とで形成し、前記薄肉板部は内側に前記嵌合フード部側の係止突起の略上半分が突設され、前記嵌合フード部側の係止突起の下半分は前記嵌合フード部の内壁から突設されていることを特徴としている。
【００１１】
このレバー嵌合式コネクタでは、レバーを回動させることにより雄コネクタを雌コネクタ部の嵌合フード部内に完全に嵌合させると、ロックアーム側の係止突起が、嵌合フード部側の係止突起を乗り越えて嵌合フード部側の係止突起と係合する。このとき、嵌合フード部側の係止突起の一部が薄肉板部に設けられているので、ロックアーム側の係止突起が嵌合フード部側の係止突起を乗り越えるときに大きく撓んだ後に元の形状に復帰する際に共鳴し易くなり、ロック時の操作音が大きくなるので節度感が向上する。
【００１２】
請求項２の発明は、請求項１記載のレバー嵌合式コネクタであって、前記薄肉板部が、前記嵌合フード部の開口縁部に設けた凹部の底壁から突設した片持梁状に形成されていることを特徴としている。
【００１３】
このレバー嵌合式コネクタでは、レバーの回動によりロックアーム側の係止突起が嵌合フード部側の係止突起を乗り越える際に、片持梁状の薄肉板部が一旦撓んだ後に元の形状に復帰して共鳴する。この結果、操作音が大きくなり節度感が増す。また、片持梁状に薄肉板部が形成されているので大きく撓み易く共鳴し易くなり、その分元の形状に復帰する際の操作音が大きくなる。
【００１４】
請求項３の発明は、請求項１又は請求項２に記載のレバー嵌合式コネクタであって、前記フード部側の係止突起が上端側から前記嵌合フード部の奥方に向けて下り傾斜の導入斜面と、下端側から嵌合フード部の内壁に向けて上り傾斜の係合斜面とからなり、前記ロックアーム側の係止突起が前記アーム部から外方へ向けて上り傾斜に形成されて前記フード部側の係止突起の係合斜面と係合する係合斜面を有することを特徴としている。
【００１５】
このレバー嵌合式コネクタでは、レバーを回動させると、ロックアーム側の係止突起が、嵌合フード部側の係止突起の導入斜面に当接し、さらにレバーを回動させるとロックアーム側の係止突起が導入斜面上を摺動する。そして、ロックアーム側の係止突起が嵌合フード部側の係止突起を乗り越えると、ロックアーム側の係止突起の係合斜面と嵌合フード部側の係止突起の係合斜面とが当接し、係合する。このとき、係合斜面同士は面接触する。
【００１６】
また、ロックアーム側の係止突起が嵌合フード部側の係止突起を乗り越える際に、嵌合フード部側の係止突起の少なくとも一部が薄肉板部に設けられているので、薄肉板部は一旦大きく撓んだ後に、元の形状に復帰する際に共鳴する。この結果、操作音が大きくなり節度感が増す。
【００１７】
【発明の実施の形態】
以下、本発明に係るレバー嵌合式コネクタの実施形態について図面を用いて説明する。なお、本実施形態のレバー嵌合式コネクタ２０は、図４及び図５に示すものと基本的な構成は同じなので、図面に同符号を付して重複した説明を省略する。図１は、レバー嵌合式コネクタ２０を示す斜視図であり、図２は、雌コネクタ部３の嵌合フード部４を示す斜視図である。さらに、図３は、レバー２側のロックアーム１１と嵌合フード部４側のロック部２１との係合状態を示す断面図である。
【００１８】
本実施形態のレバー嵌合式コネクタ２０は、図１及び図３に示すように、雄コネクタ１と、レバー２と、嵌合フード部４を有する雌コネクタ部３とからなる。また、本実施形態のレバー嵌合式コネクタ２０は、レバー２に設けたロックアーム１１が嵌合フード部４に設けたロック部２１と係合することで雄コネクタ１が雌コネクタ部３の嵌合フード部４内に完全に嵌合される。
【００１９】
そして、本実施形態でも、ロックアーム１１が可撓性のアーム部１２と、この可撓性のアーム部１２に設けられたロックアーム１１側の係止突起１３とで形成されている。また、ロック部２１が、嵌合フード部４の内壁４ａに設けた薄肉板部２２と、この薄肉板部２２から少なくとも一部が突設されてロックアーム１１側の係止突起１３と係合する嵌合フード部４側の係止突起２３とで形成されている。
【００２０】
また、嵌合フード部４側の係止突起２３は、上端２４側から嵌合フード部４の奥方に向けて下り傾斜の導入斜面２５と、下端２６側から嵌合フード部４の内壁４ａに向けて上り傾斜の係合斜面２７とを有している。さらに、ロックアーム１１側の係止突起１３はアーム部１２から外方へ向けて上り傾斜に形成された係合斜面３０を有している。この係合斜面３０は、嵌合フード部４側の係止突起２３の係合斜面２７と係合する。
【００２１】
上記薄肉板部２２は、嵌合フード部４の開口縁部に設けた凹部２８の底壁２９から突設され、底壁２９に片持梁状に形成されている。この薄肉板部２２は、内側に係止突起２３の略上半分が突設され、係止突起２３の下半分は嵌合フード部４の内壁４ａから突設されている。
【００２２】
なお、嵌合フード部４の一側部には、雄コネクタ１のガタ防止リブ６が挿入される長溝１７、１７が形成され、一側の壁部１８には、レバー２の突起部１０が係合する長孔１９、１９が形成されている。
【００２３】
次に、雄コネクタ１を雌コネクタ部３の嵌合フード部４内に嵌合する手順について説明する。
【００２４】
最初に、雄コネクタ１のボス部７をレバー２の側壁８に挿入すると共に、突起部１０を雄コネクタ１のガタ防止リブ６に貫通させて、レバー２を雄コネクタ１に回動自在に組み付ける。この状態の雄コネクタ１を嵌合フード部４に位置合わせした後に挿入し、ガタ防止リブ６を長溝１７、１７に挿入する。このとき、レバー２は、突起部１０が長孔１９の下端側に位置するように雄コネクタ１に対して傾斜させておく。
【００２５】
雄コネクタ１を嵌合フード部４の途中まで挿入した後に、操作部９を押圧してレバー２をボス部７を中心に回動させる。レバー２を回動させると、突起部１０がガタ防止リブ６から突出して、長孔１９の上内壁１９ａに当接する。さらに、操作部９を回動させると、突起部１０と上内壁１９ａとの当接部分が支点、操作部９が力点、ボス部７が作用点となり、てこの原理により、雄コネクタ１が嵌合フード部４の奥方に挿入される。
【００２６】
そして、ロックアーム１１側の係止突起１３が嵌合フード部４側の係止突起２３と係合することにより、雄コネクタ１が雌コネクタ部３の嵌合フード部４内に完全に嵌合され、ロックアーム１１がロック部２１に係合することで、この状態が保持される。
【００２７】
ロックアーム１１側の係止突起１３が、ロック部２１側の係止突起２３と係合する場合、レバー２をボス部７を中心に回動させると、最初にロックアーム１１側の係止突起１３がロック部２１側の係止突起２３の導入斜面２５に当接し、さらにレバー２を回動させると、係止突起１３が導入斜面２５上を摺動する。このとき、アーム部１２が撓むと共に、薄肉板部２２も外側へ撓み、ロックアーム１１側の係止突起１３がロック部２１側の係止突起２３を乗り越えると、アーム部１２と薄肉板部２２とがそれぞれ元の形状に復帰する。このとき、アーム部１２の撓みが元の状態に戻るのと同時に薄肉板部２２の撓みが元の状態に戻るため薄肉板部２２が共鳴し、ロック時の操作音が大きくなり、節度感が向上する。
【００２８】
ロックアーム１１側の係止突起１３がロック部２１側の係止突起２３を乗り越えると、係合斜面２７、３０同士が当接して、係合する。
【００２９】
本実施形態によれば、嵌合フード部４側のロック部１４に薄肉板部２２を設けて、この薄肉板部２２に係止突起２３の一部を設けたことにより、ロックアーム１１側の係止突起１３が、ロック部２１側の係止突起２３を乗り越えたときの操作音が大きくなり、節度感を向上することができる。
【００３０】
この結果、レバー２を最終位置まで確実に回動させることができて、雄コネクタ１を雌コネクタ部３の嵌合フード部４内に完全に嵌合させることができると共に、レバー２の不完全ロック状態を無くすことができるので、嵌合フード部４への雄コネクタ１の嵌合状態を確実に保持することができる。さらに、レバー２の不完全ロック状態を無くすことができるので、レバー２の不用意な回動を確実に防止することができる。
【００３１】
【発明の効果】
以上説明したように請求項１の発明によれば、嵌合フード部側の係止突起の一部が薄肉板部に設けられているので、ロックアーム側の係止突起が嵌合フード部側の係止突起を乗り越えるときに大きく撓んだ後に元の形状に復帰し共鳴するためロック時の操作音が大きくなり、節度感が向上する。
【００３２】
請求項２の発明によれば、レバーの回動によりロックアーム側の係止突起が嵌合フード部側の係止突起を乗り越える際に、片持梁状の薄肉板部が一旦撓んだ後に元の形状に復帰し共鳴するため操作音が大きくなり節度感が増す。また、片持梁状に薄肉板部が形成されているので大きく撓み易くなり、その分元の形状に復帰する際の操作音が大きくなる。
【００３３】
請求項３の発明によれば、ロックアーム側の係止突起が嵌合フード部側の係止突起を乗り越えると、ロックアーム側の係止突起の係合斜面と嵌合フード部側の係止突起の係合斜面とが当接し、係合する。このとき、係合斜面同士は面接触し、
ロックアーム側の係止突起が嵌合フード部側の係止突起を乗り越える際に、嵌合フード部側の係止突起の少なくとも一部が薄肉板部に設けられているので、薄肉板部は一旦大きく撓んだ後に、元の形状に復帰する。この結果、操作音が大きくなり節度感が増す。
【図面の簡単な説明】
【図１】本発明の実施形態に係るレバー嵌合式コネクタを示す斜視図である。
【図２】本発明の実施形態に係るレバー嵌合式コネクタの雌コネクタ部を示す斜視図である。
【図３】雄コネクタを雌コネクタ部の嵌合フード部に嵌合し、ロックアームをロック部に係合させた状態を示す断面図である。
【図４】従来の雄コネクタと、この雄コネクタに組み付けらたレバーを示す斜視図である。
【図５】従来のレバー嵌合式コネクタにおいて、ロックアームをロック部に係合した状態を示す断面図である。
【図６】ロックアーム側の係止突起とロック部側の係止突起との係合状態を示し、図５の一部を拡大した断面図である。
【符号の説明】
１  雄コネクタ
２  レバー
３  雌コネクタ部
４  嵌合フード部
１１  ロックアーム
１２  アーム部
１３  係止突起
２０  レバー嵌合式コネクタ
２１  ロック部
２２  薄肉板部
２３  係止突起
【図１】
0003715115.tif 000002
【図２】
0003715115.tif 000003
【図３】
0003715115.tif 000004
【図４】
0003715115.tif 000005
【図５】
0003715115.tif 000006
【図６】
0003715115.tif 000007